(57)【要約】【課題】  コンソール型電子写真複写機において、立位で行うように設計されたＡＤＦの開閉操作に支障をあたえず、且つ、車椅子を使用する下肢障害者にも低い位置でのＡＤＦの開閉操作が容易な複写機を、簡単な構成で実現する。【解決手段】  ＡＤＦ装置右側面にパイプ曲げ部材で構成された開閉用補助把手を配置する。前期開閉用補助把手は、ＡＤＦ先端部より前方突出した、ＡＤＦの開操作を行うための前方把手と、閉じる際に用いるもので、ＡＤＦ開状態で床面から１１７０ｍｍ以内の高さに位置するよう後部把手とを有する。【選択図】  図１
2006162744.tif 000002
【特許請求の範囲】
【請求項１】
画像読み取り装置（１）と、該画像読み取り装置の本体上面後端部に固定されたヒンジ（５）を介して上下方向に開閉される自動原稿送り装置（３）とを備える画像形成装置において、自動原稿送り装置（３）右側面にパイプ曲げ部材で構成された開閉用補助把手（６）を配置することを特徴とするＡＤＦ開閉用把手を有する電子写真複写機。
【請求項２】
前記開閉用補助把手（６）は、ＡＤＦの開操作を行うための持ち上げるための前方把手（７）と、閉じる際に用いる後部把手（８）とを有することを特徴とする請求項１のＡＤＦ開閉用把手を有する電子写真複写機。
【請求項３】
前記開閉用補助把手（６）は、ＡＤＦの開操作を行うための持ち上げるための前方把手（７）を有し、該前方把手（７）はＡＤＦ先端部より前方突出するよう固定されることを特徴とする請求項１のＡＤＦ開閉用把手を有する電子写真複写機。
【請求項４】
前記開閉用補助把手（６）は、ＡＤＦの閉操作を行うための後部把手（８）を有し、該後部把手（８）はＡＤＦ開状態で床面から１１７０ｍｍ以内の高さに位置するよう固定されることを特徴とする請求項１のＡＤＦ開閉用把手を有する電子写真複写機。
【発明の詳細な説明】
【技術分野】
【０００１】
本発明は、コンソールタイプ本体の上部に位置する自動原稿送り装置が回動可能に連結されるようになった本体上部と本体内部に画像形成部と読み取り部を有する、いわゆるコンソール型の複写機に関する。
【背景技術】
【０００２】
このような複写機では、自動的に原稿を原稿載置面に送り込む自動原稿送り装置（以下、ＡＤＦと称する。）が使用される。
ＡＤＦは、シート状の原稿以外でADFに送り込むことができない、綴じられた書類や本を複写する際には、ＡＤＦを持ち上げて開いた状態で原稿載置面上に被複写物を置く作業を必要とする。
【０００３】
しかし、ＡＤＦは、シート原稿を順次原稿載置面上に送給する機構等が装備されているために、その重量は板状の原稿押さえに比較して著しく大きくなっており、また、複数複写の際には一ページ毎に被複写物を交換するとともにADFの開閉操作も伴う。
【０００４】
又、従来例としては、例えば特許文献１と特許文献２をあげることが出来る。
【特許文献１】特開２００３−１４０２７７号公報
【特許文献２】特開２００４−１９８５６３号公報
【発明の開示】
【発明が解決しようとする課題】
【０００５】
図６は通常の複写機と使用者の対応関係を説明するための図である。（ａ）は車椅子使用状態を示し、（ｂ）は立位での使用状態を示したものである。
【０００６】
ＡＤＦの開閉操作は使用者が立位で行うように設計されており、ＡＤＦを最大開いた状態では床面からＡＤＦの取っ手部は約１５０ｍｍ以上の高さとなり、車椅子を使用する下肢障害者にはＡＤＦの取っ手部には手が届かないため、ＡＤＦ側面にも手がかりが無いためＡＤＦ開閉操作が容易でない。
【０００７】
また、米国リハビリテーション法５０８条  第１１９４．２５条Ｓｅｌｆ  ｃｏｎｔａｉｎｅｄ  ，  ｃｌｏｓｅｄ  ｐｒｏｄｕｃｔｓ  （ｊ）操作部の位置の規定では、床面から１１７０ｍｍ以下の規定があり、コンソール型の画像形成装置は通常立位操作用に操作部の位置やレイアウトがなされているため規定に適合させるためにはＡＤＦ側面に床面から１１７０ｍｍ以下の位置に手がかりが必要である。
【０００８】
さらに、操作に要する力量は２．２７Ｋｇド以下の規定があるが、大型のＡＤＦでは３Ｋｇ以上の操作力量を必要とするものが存在する。
【課題を解決するための手段】
【０００９】
本発明のＡＤＦ開閉用把手を有する電子写真複写機は、コンソール型電子写真複写機の本体上面後端部に固定されたヒンジを介して上下方向に開閉される自動原稿送り装置（ＡＤＦ）と画像読み取り装置を備える画像形成装置において、ＡＤＦ装置右側面にパイプ曲げ部材で構成された開閉用補助把手を配置することを特徴とするものである。
【発明の効果】
【００１０】
本発明によれば、立位で行うように設計されたＡＤＦの取っ手を使用する開閉操作に支障をあたえず、車椅子を使用する下肢障害者にも低い位置でのＡＤＦの開閉操が容易な複写機を、簡単な構成で実現できるようになるものである。
【発明を実施するための最良の形態】
【００１１】
本発明の第１の実施形態について以下に説明する。
【００１２】
図１は本発明の第１の実施の形態としてのコンソール型電子写真複写機右側斜面からの概略図で、後述の自動原稿送り装置を閉じた状態を示したものである。また、図２は同じく本発明の第１の実施の形態としてのコンソール型電子写真複写機右側斜面からの概略図で、自動原稿送り装置を若干開いた状態を示したものである。
【００１３】
複写機本体１は、本体上面に自動原稿送り装置（ＡＤＦ）３が取り付けられており、そのＡＤＦの下側、本体上面の操作部の奥には原稿載置面２が設けられている。
複写機本体の後部に回転ヒンヂ５が設けられ、ＡＤＦの後端部とヒンヂ５が固定されている。
【００１４】
ＡＤＦは被複写物を原稿載置面に設置可能とするためにヒンジ部を回転中心として約８０度開く。
【００１５】
１０はマグネットロックで、複写機本体１上の図２に示された位置に固定された磁石と、ＡＤＦが閉じられたときにそ磁石に向かい合う位置に固定された金属部材とからなり、ＡＤＦが閉じられているときにその状態を保持する。
【００１６】
６はＡＤＦの開閉操作を行うための開閉用把手で、ＡＤＦを持ち上げる際の手かけとしては前部把手７を使用し、閉じる際の手かけとしては後部把手８を使用するように構成されている。金属製のパイプ等により成り、折り曲げることにより図示のような形状とされたもので、ＡＤＦ側面に対してはネジ９で固定される。
【００１７】
固定位置は、コの字型の前部把手７がＡＤＦ先端部より前方へ突出させる位置に固定し、ＡＤＦの持ち上げのマグネットロック１０を解除する初動時力量の軽減を図る。
【００１８】
図３は閉状態のＡＤＦを右横から見た図であるが、図示のようにコの字型の前部把手７は先端がやや上方に向くように曲げられており、これにより車椅子使用者が下方から手をかけるに際し、かけやすくなっている。
【００１９】
図４はＡＤＦをほぼ最大開状態した場合の斜視図であるが、後部把手８があることにより車椅子使用者も閉操作しやすくなっている。
【００２０】
本発明の第２の実施形態について以下に説明する。
【００２１】
図５は、把手本体のＡＤＦを持ち上げる手かけ部は前部把手１２に位置し、閉じる際の手かけ部は後部把手１３に分割されている、その前部１２と後部１３を連結部１１で一体化し、カラー複写機などの大型ＡＤＦに使用する場合の強度を確保する。
【００２２】
この連結部１１をＡＤＦ側面にネジ１４で固定する。
【００２３】
上述の本発明の第１、第２の実施形態の構成によれば、ＡＤＦ開閉用把手を従来の複写機に装着することにより、立位で行うように設計されたＡＤＦの取っ手を使用する開閉操作に支障をあたえず、車椅子を使用する下肢障害者にも低い位置でのＡＤＦの開閉操が容易になるために、複写操作に伴う被複写物の交換操作を可能とする。
【００２４】
また、重量が重いＡＤＦの開閉操作を用意にするために、ＡＤＦ本体の小さな取っ手部よりも手前に位置する把手先端部は、コの字形状であるため義手や手、指を損傷したり手の力の弱い障害を持つ使用者でも確実にグリップできて持ち上げる操作を容易に行える。
【００２５】
また、既存の複写機に搭載されるＡＤＦ側面に使用者の要求に従い追加装着が可能である。
【００２６】
また、パイプ状部材を折り曲げた単純な構造であり、低コストであることを特徴とする。
【図面の簡単な説明】
【００２７】
【図１】本発明の第１の実施形態としての複写の上部に設置したＡＤＦの側面に開閉用把手を装備した状態を示す斜視図である。
【図２】本発明の第１の実施形態としての複写の上部に設置したＡＤＦの側面に開閉用把手を装備した状態を示す斜視図である。
【図３】ＡＤＦの側面図である。
【図４】本発明の第１の実施形態としての複写機のＡＤＦ開状態を示す斜視図である
【図５】本発明の第２の実施形態を示す概略図である。
【図６】通常の複写機と使用者の対応関係を説明するための図である。
【符号の説明】
【００２８】
１  複写機本体
２  原稿載置面
３  自動原稿送り装置（ＡＤＦ）
４  開閉用取っ手
５  回転ヒンヂ
６  開閉用把手
７  前部把手
８  後部把手
９  ＡＤＦ固定ネジ
１０  マグネットロック
１１  連結部
１２  前部把手
１３  後部把手
１４  ＡＤＦ固定ネジ
【図１】
2006162744.tif 000003
【図２】
2006162744.tif 000004
【図３】
2006162744.tif 000005
【図４】
2006162744.tif 000006
【図５】
2006162744.tif 000007
【図６】
2006162744.tif 000008